(57)【要約】      （修正有）【課題】腰が曲がっている人が装着しやすく、かつ、背部を確実に覆うことができるズボンを提供する。【解決手段】腰が曲がった人のためのズボンであって、そのズボンの腰側の開口２から裾側に向けて、前記ズボンの両側にそれぞれスリット３、３が形成されており、それらの左右のスリット３、３により、前記ズボンの腰回りの部位４ａが前垂部５と後掛部６に分割されており、その後掛部６が前垂部５より腰側に長くされており、前記後掛部６に前記前垂部５に連結するための連結部材７が設けられている、ズボン１。【選択図】図１
2018150639.tif 000002
【特許請求の範囲】
【請求項１】
腰が曲がった人のためのズボンであって、
そのズボンの腰側の開口から裾側に向けて、前記ズボンの両側にそれぞれスリットが形成されており、
それらの左右のスリットにより、前記ズボンの腰回りの部位が前垂部と後掛部に分割されており、
その後掛部が前垂部より上方に長くされており、
前記後掛部に前記前垂部に連結するための連結部材が設けられている、ズボン。
【請求項２】
前記連結部材が、後掛部の左右からそれぞれ延設された耳部を備えており、
それらの耳部を前記前垂部の上面に重ねるようにして取り付けることにより前垂部と後掛部を連結するものである、請求項１記載のズボン。
【請求項３】
前記連結部材が、後掛部の左右から延びた帯状部材を備えており、
それらの左右の帯状部材を前垂部の前方で連結することにより前垂部と後掛部とを連結するものである、請求項１または２記載のズボン。
【請求項４】
前記請求項１、２あるいは３のいずれかに記載のズボンを装着する方法であって、
前記ズボンに両脚を入れ、
前記後掛部を引っ張って腰の上に掛けて、
前記前垂部を体側に引き上げ、
前記帯状部材を結んで連結し、あるいは前記耳部を前垂部の前側に重ねて取り付ける、ズボンの装着方法。
【請求項５】
前記帯状部材あるいは耳部の一方により、前垂部と後掛部とを仮に連結し、
他方により前垂部と後掛部を連結する、請求項４記載のズボンの装着方法。
【発明の詳細な説明】
【技術分野】
【０００１】
本発明はズボンに関する、特に腰が曲がった人のためのズボンおよびそのズボンの装着方法に関する。
【背景技術】
【０００２】
例えば、腰の曲がった人でも背部を露出しないようにでき、かつズボンの前を弛まずにスッキリさせるものとして特許文献１の介護ズボンがある。
この介護ズボンは、その前身頃のウエストラインを、脇線側に対して股ぐり線側が低く、かつ脇線側が長くなるよう傾斜させている。さらに後身頃のウエストラインを、脇線側に対して股ぐり線側が高く、かつ脇線側が長くなるよう傾斜させている。さらに後身頃の股ぐり部を非切り取り股ぐり部としている。
【先行技術文献】
【特許文献】
【０００３】
【特許文献１】特開２００５−１３３２６１号公報、
【発明の概要】
【発明が解決しようとする課題】
【０００４】
腰が曲がった人が通常のズボンを履くと、背部が露出したり、ズボンの前側が弛んだりするといった問題があることが従来から知られている。この問題について、特許文献１を含む多くの文献には、ズボンのお尻を包む容量を大きくするような工夫がなされている。
【０００５】
しかしながら、腰が曲がった人が、立った状態で、どのようにズボンを履くのかについては、あまり注目されていないようである。
例えば、腰が曲がっている人は、そのお尻が後側に突き出ているような傾向にある。その突き出る程度としては、例えば、お尻が足より後側にある。例えば、腰が曲がっている人は、腰が曲げっていない人がまっすぐに下から上にズボンを引き上げるのに比べ、お尻が出ている分だけズボンを後ろ側に配置しなければならない。
このため、ズボンを履く際に、まずお尻を通すべく、一旦ズボンの開口をお尻の後方に持っていき、お尻を通した後に、前側に引く、という動作を行う。この際に、ズボンの開口の後身頃の部位は、お尻より後方に配置しなければならないが、前身頃の部位は身体のへそ付近に引っ掛かっており、それ以上は後方に移動できない。
このため、腰が曲がった人は、お尻を通すのに、一気に開口の後身頃の部位をお尻の後方に持っていくような動作でズボンを履いている。仮に、この動作を他の似た動作で表現するなら、個人差があり、かつ、上下方向と前後方向という違いはあるが、例えば、「ヨッコイショ」といった掛け声と共に、背負った重い荷物を下から上に背負い直す際に見られる一瞬の動作に似ている。
【０００６】
しかしながら、腰が曲がった人が、そのような曲がった体勢で、お尻よりも後方にズボンの開口を持っていくのは難しい。得にバランス感覚や手を後ろに伸ばすような運動能力などが衰えている高齢者などには一層難しい動作となる。
【０００７】
また、腰が曲がっていると、背側がほとんど見えないので、背部がどのようにズボンで覆われているのか確認しにくい。
【０００８】
そこで本発明は、腰が曲がっている人が装着しやすく、かつ、背部を確実に覆うことができるズボンを提供することを課題とする。
【課題を解決するための手段】
【０００９】
（１）本発明のズボンは、腰が曲がった人のためのズボンであって、そのズボンの腰側の開口から裾側に向けて、前記ズボンの両側にそれぞれスリットが形成されており、それらの左右のスリットにより、前記ズボンの腰回りの部位が前垂部と後掛部に分割されており、その後掛部が前垂部より腰側に長くされており、前記後掛部に前記前垂部に連結するための連結部材が設けられていることを特徴としている。
【００１０】
（２）このようなズボンは、前記連結部材が、後掛部の左右からそれぞれ延設された耳部を備えており、それらの耳部を前記前垂部の上面に重ねるようにして取り付けることにより前垂部と後掛部を連結するのが好ましい。
【００１１】
（３）また、前記連結部材が、後掛部の左右から延びた帯状部材を備えており、それらの左右の帯状部材を前垂部の前方で連結することにより前垂部と後掛部とを連結するものが好ましい。
【００１２】
（４）本発明のズボンの装着方法は、前述のいずれかのズボンを装着する方法であって、前記ズボンに両脚を入れ、前記後掛部を引っ張って腰の上に掛けて、前記前垂部を体側に引き上げ、前記帯状部材を結んで連結し、あるいは前記耳部を前垂部の前側に重ねて取り付けることを特徴とする。
【００１３】
（５）このようなズボンの装着方法は、前記帯状部材あるいは耳部の一方により、前垂部と後掛部とを仮に連結し、他方により前垂部と後掛部を連結するのが好ましい。
【発明の効果】
【００１４】
（１）本発明のズボンは、後掛部が前垂部と分離されているから、後掛部のみを曲がった身体に沿うように背部から腰付近に引いて掛けることができる。このため、ズボンあるいは手をお尻より後ろに回すような無理な動作を緩和することができるので、履くのが容易である。
また、後掛部のみを腰付近に引きながら掛けることができるので、確実に背部付近を覆うことができる。
そして、背部付近を覆ったままにして、前垂部を連結部材で連結するから、背部を確実に覆った状態を保ちながら装着できる。
例えば、腰の曲がりが大きいほど、後掛部を腰から背中に掛けておくことができるので、お尻側にずり落ちにくくなり、ズボンの装着作業をいくらか容易にすることができる。
【００１５】
（２）このようなズボンにおいて、前記連結部材が、後掛部の左右からそれぞれ延設された耳部を備えており、それらの耳部を前記前垂部の上面に重ねるようにして取り付けることにより前垂部と後掛部を連結するものである場合は、スリットで分離された部位から身体が見えるのを防止することができる。
そして、前記耳部を手で把持することにより、後掛部を腰付近に引きやすいし、背部に後掛部を誘導しやすい。
その上で、耳部を前垂部に取り付けることで、前垂部と後掛部を連結することができる。その連結は、腰が曲がった人がその曲がったままの姿勢で、すなわち自身の前方のみで作業が完了するので、ズボンの装着が容易である。
【００１６】
（３）また、前記連結部材が、後掛部の左右から延びた帯状部材を備えており、それらの左右の帯状部材を前垂部の前方で連結することにより前垂部と後掛部とを連結する場合は、その帯状部材を持つことにより、後掛部を腰付近に引きやすいし、背部に後掛部を誘導しやすい。
その上で、帯状部材を前垂部の前で締結することで、前垂部と後掛部を連結することができる。その連結は、腰が曲がった人がその曲がったままの姿勢で、すなわち自身の前方のみで作業が完了するので、ズボンの装着が容易である。
さらにまた、前記連結部材が耳部と帯状部材の両方を備えているなら、一方で前垂部を身体側に引き寄せた仮の連結状態にしておき、その後に他方で前垂部と後掛部とを連結することができる。
【００１７】
（４）本発明の装着方法は、前記耳部あるいは帯状部材を持つことにより、後掛部を腰付近に引きやすいし、背部に後掛部を誘導しやすい。その上で、耳部あるいは帯状部材を前垂部の前で取り付けるなどすることで、前垂部と後掛部を連結することができる。その連結は、腰が曲がった人がその曲がったままの姿勢で、すなわち自身の前方のみで作業が完了するので、ズボンの装着が容易である。
【００１８】
（５）このようなズボンの装着方法において、前記帯状部材あるいは耳部の一方により、前垂部と後掛部とを仮に連結し、他方により前垂部と後掛部を連結する場合は、前垂部を垂れないように身体側に引き寄せるように仮に連結すると、その後に前垂部と後掛部を連結する作業が容易である。
【図面の簡単な説明】
【００１９】
【図１】図１は本発明のズボンの一実施形態を示す概略平面図である。
【図２】図２は図１のズボンの部分拡大図である。
【図３】図３は図１のズボンの装着途中を示す部分拡大図である。
【図４】図４は本発明のズボンの装着する方法の一例を示す概略フロー図である。
【図５】図５は図１のズボンの他の実施形態を示す概略図である。
【発明を実施するための形態】
【００２０】
［１．概略説明］
＜第１実施形態＞
図１は、本発明のズボンの概略平面図を示している。そのズボン１は、例えば、腰が曲がった人が履くためのズボンである。
なお、腰が曲がった人とは、高齢な人ばかりでなく、何らかの原因で腰が曲がった人や、一時的に腰が曲がりリハビリテーションをしている人などを含む。
【００２１】
［２．詳細説明］
（ズボン１）
ここからズボン１の一実施形態を説明する。このズボン１は、例えば、そのズボンの腰側の開口２から裾側に向けて、前記ズボンの両側にそれぞれスリット３、３が形成されている。
そして、それらの左右のスリット３、３により、前記ズボンの腰回りの部位４ａが前垂部５と後掛部６に分割されている。その後掛部６は前垂部５より長くされており、図に示すように上方に突出している。
また、前記後掛部６に前記前垂部５に連結するための連結部材７が設けられている。
【００２２】
（スリット３）
前記スリット３は、股下付近まで延びている。なお、短くしてもよいし、長くしてもよい。
そのスリット３は、本実施形態では前身頃と後身頃とを連結する脇線に沿って形成されている。なお、前側あるいは後側に向けて斜めに延びるようにしたり、いくらか湾曲させたりしてもよい。
例えば、後掛部６が左右に幅広になるようにスリットを形成してもよい。これにより装着すべき者の背部を広範囲に覆うことができる。
【００２３】
（腰回りの部位４ａ、脚を入れる部位４ｂ、前垂部５）
前記腰回りの部位４ａは、ズボン１の股下から開口２付近までの範囲の部位である。一方、股下から裾までの部位は、脚を入れる部位４ｂである。
前記前垂部５は、前記腰回りの部位４の前見頃にほぼ相当する。その表側の上端付近には連結部材７（本実施形態では後述する帯状部材８）を通すための帯通し９が設けられている。さらに後述する耳部１１を表側に重ねて取り付けるための取付機構１０（図２参照）が設けられている。
【００２４】
（取付機構１０）
図２に示すように、その取付機構１０としては、例えば本実施形態ではボタンであり、前垂部５側にボタン１０ａが設けられている。なお、面ファスナー、スナップボタンなど二つの部材を取付けたり、締結したりする機構であればよい。
【００２５】
（後掛部６、連結部材７、耳部１１）
前記後掛部６は、前記腰回りの部位４の後見頃にほぼ相当する。
その後掛部６には、連結部材７として、その左右の側縁からそれぞれ耳部１１、１１が延設されている。その耳部１１は、頂点を下方に向けた逆三角形状を呈している。その耳部１１にはボタン穴１０ｂが形成されている。その耳部１１を前記前垂部５の表側の面に重ねて、前垂部のボタン１０ａを耳部１１のボタン穴１０ｂに掛けることで、前垂部５と後掛部６とが連結される。
また、前記耳部１１により、前記前垂部５と後掛部６との間から人体が見えるのを隠すことができる。
【００２６】
（帯状部材８、袋部９）
さらにまた、前記後掛部６には、連結部材７として、後掛部の左右の上端付近の側縁からそれぞれ左右に帯状部材８が延びている。また、後掛部６の上端には、帯状部材８を収納している袋部９が形成されている。
前記帯状部材８は、その中央付近がゴムなどの伸縮する素材で形成されている。例えば本実施形態では、帯状部材の１／４程度が伸縮可能な部材で設けられている。さらに、帯状部材８はその中央付近で後掛部６に取り付けられている。このため帯状部材８の片側を手で引くと、その帯状部材８は袋部９から抜け出ることなく、かつ、引いた方向に伸ばすことができる。
前記袋部９は、後掛部６の上端付近を内側に折り畳んで形成されている。
本実施形態では、左右の帯状部材８を前垂部５の帯通し１２（図３参照）に通して、前垂部５の前方で結ぶことにより、前垂部５と後掛部６とが連結される。
なお、帯状部材を設けずに、耳部１１だけで前垂部５と後掛部６とを連結してもよい。
なお、左右の帯状部材８、８にそれらを連結するためのボタン、面ファスナーなどの連結機構を設けてもよい。
【００２７】
［３．装着方法］
（装着方法１３）
次に、図３および図４を用いて本発明の装着方法を説明する。
（Ｓ０）準備工程として、例えば、ズボンの脚を入れる部位４ｂ（図１参照）を蛇腹状にまくって床に置く。なお、蛇腹状にまくらずに脚を入れてもよい。
（Ｓ１）前記ズボンに両脚を入れる。
（Ｓ２）ズボンをお尻付近まで引き上げる。
（Ｓ３）前記後掛部を引っ張って、後掛部を着用すべき人の腰付近の上面に掛ける。
（Ｓ４）前記前垂部５を腹側に引き上げる。
（Ｓ５）前記帯状部材８を前垂部５の帯通し１０に通し、次いで結び、前垂部５が下方に垂れないように仮に連結する（仮止め）する。このとき帯状部材８を片側ずつ伸ばすことができるから、帯通し１２に通すのが容易である。
（Ｓ６）前記耳部１１を前記前垂部５の表側の面に重ねて、前垂部のボタン１０ａを耳部１１のボタン穴１０ｂに掛けて、前垂部５と後掛部６を連結する。
【００２８】
（装着方法の変形例１４）
次に、本発明の装着方法の変形例を説明する。この変形例１４は、前述した装着方法１４とほぼ同様であるので、同じ部分には同じ符号を付して、その説明を省略する。
【００２９】
前記変形例１４は、工程Ｓ５と工程Ｓ６の手順が逆である。そして、入れ替わった工程Ｓ６の耳部１１により前垂部５が仮止めされ、その後の工程Ｓ５の帯状部材１２を結ぶことにより、前垂部５と後掛部６とが連結される。
【００３０】
［４．他の実施形態］
次に、本発明のズボン１の他の態様を説明する。そのズボンは、前述したズボン１とほぼ同様であるので、同じ部分には同じ符号を付して、その説明を省略する。
【００３１】
＜第２実施形態＞
（ズボン１５）
図５に示すように、このズボン１６は、第１実施形態に対し、帯通し１２を設けておらず、前述の後掛部６とほぼ同じ長さまで延長された前垂部５ａを備えている点で異なる。
このズボン１６では、前垂部５ａを引き上げた上で、左右の帯状部材８、８を連結し、その後に前垂部５ａの帯状部材８の上方に出ている部位５ｂを折り返す。このため帯通し１２（図３参照）が不要である。その後、耳部１１を折り返され裏側になった前垂部５ａに取り付けて、前垂部５ａと後掛部６（図３参照）を連結する。
なお上方に出ている部位５ｂを折り返した際に、前垂部５ａとボタンや面ファスナーで連結するようにしてもよい。
【００３２】
［５．その他］
前記実施形態では、足首付近までの丈のズボンであったが、短パンや、膝付近の長さのものでもよい。
また、前記裾を絞ることで、前傾姿勢の腰が曲がった装着すべき者が足元を視認できるようにしてもよい。
また、脚を入れる部位４ｂ（図１参照）を全体的に太くし、脚を通しやすくしてもよい。
また、前記ボタン１０ａの位置や数は適宜設定することができる。
また、本発明のズボンに用いた前垂部５と後掛部６を分割した構成をスカートに用いてもよい。
【００３３】
［６．まとめ］
（１）本発明のズボンは、後掛部が前垂部と分離されているから、ズボンの開口の前側にかかわらず、後掛部のみを背部から腰付近に引いて掛けることができるので、履くのが容易である。
また、後掛部のみを腰付近に引きながら掛けることができるので、確実に背部付近を覆うことができる。
そして、背部付近を覆ったままにして、前垂部を連結部材で連結するから、背部を確実に覆った状態を保ちながら装着するのが容易である。
例えば、腰の曲がりが大きいほど、後掛部を腰から背中にかけての部位に掛けると、お尻側にずり落ちないので、ズボンの装着作業を部分的に容易にすることもある。
【００３４】
（２）このようなズボンにおいて、前記連結部材が、後掛部の左右からそれぞれ延設された耳部を備えており、それらの耳部を前記前垂部に重ねるようにして取り付けることにより前垂部と後掛部とを連結する場合は、耳部により分離された部位を隠すことができる。
そして、その耳部を手で把持することにより、後掛部を腰付近に引きやすいし、背部に後掛部を誘導しやすい。
その上で、耳部を前垂部に取り付けることで、前垂部と後掛部を連結することができる。その連結は、腰が曲がった人がその曲がったままの姿勢で、すなわち自身の前方のみで作業が完了するので、ズボンの装着が容易である。
【００３５】
（３）また、前記連結部材が、後掛部の左右から延びた帯状部材を備えており、それらの左右の帯状部材を前垂部の前方で連結することにより前垂部と後掛部とを連結する場合は、その帯状部材を持つことにより、後掛部を腰付近に引きやすいし、背部に後掛部を誘導しやすい。
その上で、帯状部材を前垂部の前で締結することで、前垂部と後掛部を連結することができる。その連結は、腰が曲がった人がその曲がったままの姿勢で、すなわち自身の前方のみで作業が完了するので、ズボンの装着が容易である。
さらにまた、前記連結部材が耳部と帯状部材の両方を備えているなら、一方で前垂部を身体側に引き寄せた仮の連結状態にしておき、その後に他方で前垂部と後掛部とを連結することができる。
【００３６】
（４）本発明の装着方法は、前記耳部あるいは帯状部材を持つことにより、後掛部を腰付近に引きやすいし、背部に後掛部を誘導しやすい。その上で、耳部あるいは帯状部材を前垂部の前で取り付けるなどすることで、前垂部と後掛部を連結することができる。その連結は、腰が曲がった人がその曲がったままの姿勢で、すなわち自身の前方のみで作業が完了するので、ズボンの装着が容易である。
【００３７】
（５）このようなズボンの装着方法において、前記帯状部材あるいは耳部の一方により、前垂部と後掛部とを仮に連結し、他方により前垂部と後掛部とを連結する場合は、前垂部を垂れないように身体側に引き寄せるように仮に連結すると、その後に前垂部と後掛部を連結する作業が容易である。
【符号の説明】
【００３８】
１  ズボン
２  開口
３  スリット
４ａ  腰回り部位
４ｂ  脚を入れる部位
５  前垂部
５ａ  前垂部
６  後掛部
７  連結部材
８  帯状部材
９  袋部
１０  取付機構
１０ａ  ボタン
１０ｂ  ボタン穴
１１  耳部
１２  帯通し
１３  装着方法
１４  装着方法の変形例
１５  ズボン
【図１】
2018150639.tif 000003
【図２】
2018150639.tif 000004
【図３】
2018150639.tif 000005
【図４】
2018150639.tif 000006
【図５】
2018150639.tif 000007